(57)【要約】【課題】照明用光源や干渉用カメラを冷却しつつ、通常の状態の涙液層の様子を適切に取得することのできる涙液検査装置を提供する。【解決手段】涙液検査装置１０は、被検眼Ｅに照明光束Ｆｉを投影する照明用光源２１と、被検眼Ｅで反射された照明用光源２１を受光して干渉模様画像Ｉｆを取得する干渉用カメラ２５と、照明用光源２１および干渉用カメラ２５の周辺に空気の流れを形成する空調機構４５と、を備えている。空調機構４５は、照明用光源２１および干渉用カメラ２５の周辺を経た空気を、被検眼Ｅとは反対側に吹き出す。【選択図】  図２
2020048933.tif 000002
【特許請求の範囲】
【請求項１】
被検眼に投影する照明光束を出射する照明用光源と、
前記被検眼で反射された前記照明用光源を受光して干渉模様画像を取得する干渉用カメラと、
前記照明用光源および前記干渉用カメラの周辺に空気の流れを形成する空調機構と、を備え、
前記空調機構は、前記照明用光源および前記干渉用カメラの周辺を経た空気を、前記被検眼とは反対側に吹き出すことを特徴とする涙液検査装置。
【請求項２】
前記空調機構は、前記照明用光源および前記干渉用カメラの周辺を経る通風路と、前記通風路内に空気を流す送風機と、を有し、
前記通風路は、流れる空気を吹き出す吹出口が前記被検眼とは反対側に向けられていることを特徴とする請求項１に記載の涙液検査装置。
【請求項３】
請求項２に記載の涙液検査装置であって、
さらに、前記被検眼で反射された前記照明光束が干渉模様を形成するように、前記照明光束を前記照明用光源から前記被検眼に導くとともに前記被検眼で反射された前記照明光束を前記干渉用カメラに導く導光光学部と、
前記照明用光源からの前記照明光束を検査光軸上で出射させるとともに前記被検眼で反射された前記照明光束を前記検査光軸上で入射させて前記干渉用カメラに導く涙液検査光学部と、を備え、
前記涙液検査光学部は、前記検査光軸を前記導光光学部の導光光軸と一致させて前記導光光学部に取り付けることと、前記導光光学部から取り外すことと、が可能とされ、
前記通風路は、前記涙液検査光学部に設けられていることを特徴とする涙液検査装置。
【発明の詳細な説明】
【技術分野】
【０００１】
本開示は、涙液検査装置に関する。
【背景技術】
【０００２】
従来から、被検眼の涙液層の様子を取得することのできる涙液検査装置が知られている（例えば、特許文献１参照）。
【０００３】
この涙液検査装置は、照明用光源で被検眼を照明し、その被検眼からの反射光を干渉用カメラで受光することで、被検眼の涙液層の様子を取得する。
【先行技術文献】
【特許文献】
【０００４】
【特許文献１】特許第３５８６０３９号
【発明の概要】
【発明が解決しようとする課題】
【０００５】
上記した涙液検査装置は、照明用光源や干渉用カメラが比較的大きな熱を発することとなり、これらを適切に冷却する必要がある。ここで、涙液検査装置では、送風機を用いて照明用光源や干渉用カメラに送風することが考えられるが、これにより生じた空気の流れが被検眼に向かうと涙液層の乾燥を促進してしまい、通常の状態の涙液層を適切に取得することが困難となる虞がある。
【０００６】
本開示は、上記の事情に鑑みて為されたもので、照明用光源や干渉用カメラを冷却しつつ、通常の状態の涙液層の様子を適切に取得することのできる涙液検査装置を提供することを目的とする。
【課題を解決するための手段】
【０００７】
上記した課題を解決するために、本開示の涙液検査装置は、被検眼に投影する照明光束を出射する照明用光源と、前記被検眼で反射された前記照明用光源を受光して干渉模様画像を取得する干渉用カメラと、前記照明用光源および前記干渉用カメラの周辺に空気の流れを形成する空調機構と、を備え、前記空調機構は、前記照明用光源および前記干渉用カメラの周辺を経た空気を、前記被検眼とは反対側に吹き出すことを特徴とする。
【発明の効果】
【０００８】
本開示の涙液検査装置によれば、照明用光源や干渉用カメラを冷却しつつ、通常の状態の涙液層の様子を適切に取得することができる。
【図面の簡単な説明】
【０００９】
【図１】本開示に係る涙液検査装置の一例としての実施例１の涙液検査装置の全体構成を示す説明図である。
【図２】測定部における筐体および光学系の構成を示す説明図である。
【図３】導光光学部（筐体本体部）から涙液検査光学部（筐体取付部）が取り外された様子を示す図２と同様の説明図である。
【図４】涙液検査光学部において通風路の吸入口および吹出口を設ける様子を説明するための説明図である。
【発明を実施するための形態】
【００１０】
以下に、本開示に係る涙液検査装置の一実施形態としての涙液検査装置１０の実施例１について図１から図３を参照しつつ説明する。
【実施例１】
【００１１】
涙液検査装置１０は、被検眼Ｅの涙液層の様子を示す干渉模様画像Ｉｆ（図２参照）を取得するものである。涙液検査装置１０は、図１に示すように、制御部１１に、測定部１２と駆動部１３と顎受部１４と表示部１５と操作部１６と記憶部１７とが接続されて構成される。
【００１２】
制御部１１は、接続された記憶部１７または内蔵する内部メモリ１１ａに記憶したプログラムを例えばＲＡＭ（Random Access Memory）上に展開することにより、適宜操作部１６に対する操作等に応じて、涙液検査装置１０（測定部１２、駆動部１３、顎受部１４、表示部１５）の動作を統括的に制御する。実施例１では、内部メモリ１１ａは、ＲＡＭ等で構成され、記憶部１７は、ＲＯＭ（Read Only Memory）やＥＥＰＲＯＭ（Electrically Erasable Programmable ROM）等で構成される。涙液検査装置１０では、上記した構成の他に、測定完了信号や測定者からの指示に応じて測定結果を印字するプリンタや、測定結果を外部メモリやサーバーに出力する出力部が適宜設けられる。
【００１３】
測定部１２は、被検眼Ｅの角膜Ｅｃに照明光束Ｆｉを投影し、角膜Ｅｃで反射された照明光束Ｆｉ（以下では、反射光束Ｆｒともいう）を干渉模様画像Ｉｆとして取得する（図２参照）。その干渉模様画像Ｉｆは、被検眼Ｅの涙液層の様子を示すもので、測定部１２または検者による涙液層の診断を可能とする。この測定部１２の構成については、後に説明する。
【００１４】
駆動部１３は、測定部１２（それを収容する後述の筐体４０（図２参照））を上下、左右、前後方向に移動させる。顎受部１４は、被検者の顎を載せる箇所であり、被検者に応じて測定部１２に対する位置の調整が可能とされている。涙液検査装置１０では、顎受部１４に被検者の顔が固定されることで、その被検者の被検眼Ｅが検査位置とされる。表示部１５は、液晶モニタ等で形成され、測定部１２で取得した干渉模様画像Ｉｆや前眼部像等が適宜表示される。操作部１６は、検者や被検者が涙液検査装置１０を操作するものである。操作部１６は、表示部１５に重畳して配置されたタッチパネル式とされていてもよく、例えばキーボード、マウス、ジョイスティック等の入力装置で構成されていてもよい。
【００１５】
次に、測定部１２の光学系の一例としての構成を、図２を用いて説明する。測定部１２は、図２に示すように、涙液検査光学部２０と導光光学部３０とを有する。涙液検査光学部２０は、被検眼Ｅの角膜Ｅｃに投影する照明光束Ｆｉを出射するとともに、被検眼Ｅ（角膜Ｅｃ）で反射された反射光束Ｆｒを受光する。導光光学部３０は、涙液検査光学部２０から出射された照明光束Ｆｉを被検眼Ｅに導くとともに、被検眼Ｅからの反射光束Ｆｒを涙液検査光学部２０に導く。
【００１６】
涙液検査光学部２０は、照明光束Ｆｉを出射する照明用光源２１を有し、その照明用光源２１の出射光軸（Ｌｉ）上に投影レンズ２２と可変フィルタ２３と第１ハーフミラー２４とを設けている。照明用光源２１から出射された照明光束Ｆｉは、投影レンズ２２を経て成形され、可変フィルタ２３を経て光量が調節されて、第１ハーフミラー２４を透過して導光光学部３０に進行される。この照明光束Ｆｉが進行する方向が、涙液検査光学部２０における検査光軸Ｌｉとなる。
【００１７】
また、涙液検査光学部２０は、第１ハーフミラー２４の反射方向に干渉用カメラ２５を有し、それらの間に撮影絞り２６と取得レンズ２７とを設けている。涙液検査光学部２０は、被検眼Ｅからの反射光束Ｆｒが導光光学部３０から検査光軸Ｌｉ上に導かれると、それを第１ハーフミラー２４で反射し、撮影絞り２６を通した後に取得レンズ２７を経て成形し、干渉用カメラ２５（その受光面）に受光させる。ここで、干渉用カメラ２５は、検査光軸Ｌｉの上方に設けられており、第１ハーフミラー２４は、反射光束Ｆｒを検査光軸Ｌｉ上から上側に向けて反射する。撮影絞り２６は、涙液層の様子を取得することに必要な反射光束Ｆｒを干渉用カメラ２５に進行させるとともに、涙液層の様子を取得することに不必要となる散乱光等が干渉用カメラ２５に至ることを防止する。このため、干渉用カメラ２５は、被検眼Ｅからの反射光束Ｆｒのうちの涙液層の様子を取得することに必要な光を取得することができ、後述するように干渉模様画像Ｉｆを取得することができる。
【００１８】
導光光学部３０は、涙液検査光学部２０の検査光軸Ｌｉに一致される導光光軸Ｌｇが設定され、その導光光軸Ｌｇ上に反射ミラー３１と調節レンズ３２と第２ハーフミラー３３と対物レンズ３４とが設けられて構成される。反射ミラー３１は、涙液検査光学部２０から導光光軸Ｌｇ上に出射された照明光束Ｆｉを下方へ向けて反射する。調節レンズ３２は、反射ミラー３１で反射された導光光軸Ｌｇ上で移動可能に設けられており、制御部１１の制御下で調節機構３５（図１参照）により導光光軸Ｌｇ上での位置が調節される。第２ハーフミラー３３は、反射ミラー３１で反射されて調節レンズ３２を経た照明光束Ｆｉを、前方側すなわち被検眼Ｅ側へ向けて反射する。対物レンズ３４は、検査位置にある被検眼Ｅに対向される箇所となり、第２ハーフミラー３３で反射された照明光束Ｆｉを適宜集光して被検眼Ｅに入射させる。
【００１９】
このため、導光光学部３０は、涙液検査光学部２０から導光光軸Ｌｇ上に出射された照明光束Ｆｉを、導光光軸Ｌｇ上に適切に位置された検査位置の被検眼Ｅへ向けて導くことができる。また、導光光学部３０は、その照明光束Ｆｉが被検眼Ｅで反射された反射光束Ｆｒを、上記した照明光束Ｆｉとは逆向きに進行させることで、導光光軸Ｌｇ上で涙液検査光学部２０（その検査光軸Ｌｉ）へ向けて導くことができる。このことから、導光光学部３０では、第２ハーフミラー３３と調節レンズ３２と反射ミラー３１とを経る光路が、対物レンズ３４から照明用光源２１および干渉用カメラ２５に導く導光光路３６となり、この導光光路３６が第２ハーフミラー３３により対物レンズ３４から上方に折り曲げられて構成されている。
【００２０】
実施例１の導光光学部３０は、対物レンズ３４から第２ハーフミラー３３を透過した方向に、撮影レンズ３７と前眼部カメラ３８とを設けている。前眼部カメラ３８は、撮影レンズ３７および対物レンズ３４と協働して被検眼Ｅの前眼部にピントが合わせられており、他に設けられた照明光等で照らされた前眼部からの光束を受光素子上に結像することで、被検眼Ｅの前眼部の画像（前眼部像）を取得する。このため、涙液検査装置１０では、導光光学部３０の対物レンズ３４と第２ハーフミラー３３と撮影レンズ３７とを経て前眼部カメラ３８に至るまでが、前眼部像を取得することで前眼部の観察を可能とする前眼部観察光学系となる。
【００２１】
涙液検査装置１０は、測定部１２すなわち涙液検査光学部２０および導光光学部３０が筐体４０に収容されて構成される。筐体４０は、導光光学部３０を収容する筐体本体部４１と、涙液検査光学部２０を収容する筐体取付部４２と、を有する。筐体４０は、導光光学部３０の導光光軸Ｌｇに涙液検査光学部２０の検査光軸Ｌｉを一致させるように、筐体本体部４１に対して筐体取付部４２を取り付けることが可能とされ（図２参照）、取り外すことも可能とされている（図３参照）。筐体４０では、筐体本体部４１に制御部１１が設けられ、制御部１１が導光光学部３０（その調節機構３５および前眼部カメラ３８）に接続されている。また、筐体４０では、筐体本体部４１に筐体取付部４２が取り付けられると、筐体本体部４１に設けられた制御部１１と筐体取付部４２に設けられた涙液検査光学部２０（その照明用光源２１、干渉用カメラ２５および後述する送風機４７）とが接続される。
【００２２】
筐体本体部４１は、駆動部１３により上下、左右、前後方向に移動可能とされており、筐体取付部４２が取り付けられると、その筐体取付部４２も一体的に上下、左右、前後方向に移動される。このため、測定部１２は、筐体本体部４１に筐体取付部４２が取り付けられて、自らの光軸となる導光光学部３０の導光光軸Ｌｇが、検査位置とされた被検眼Ｅにおける角膜頂点や瞳孔中心等の基準箇所に一致するように、駆動部１３を介して位置調整（アライメント）されることで、被検眼Ｅの涙液層の様子の取得が可能とされる。このアライメントは、例えば、アライメント光学系で指標を被検眼Ｅに投影して生成したアライメント情報を用いてもよく、被検眼Ｅの前眼部像を用いてもよい。この状態において、測定部１２は、涙液検査光学部２０の検査光軸Ｌｉ上に照明光束Ｆｉを出射すると、検査光軸Ｌｉに一致された導光光軸Ｌｇ上で導光光学部３０に照明光束Ｆｉが進行し、導光光学部３０により対物レンズ３４から導光光軸Ｌｇ上で照明光束Ｆｉを出射させて被検眼Ｅに入射させる。このため、測定部１２では、涙液検査光学部２０の照明用光源２１から投影レンズ２２と可変フィルタ２３と第１ハーフミラー２４とを経るとともに、導光光学部３０の反射ミラー３１と調節レンズ３２と第２ハーフミラー３３と対物レンズ３４とを経るまでが、照明光束Ｆｉで被検眼Ｅを照射する照明光学系となる。
【００２３】
また、測定部１２は、その被検眼Ｅで反射された反射光束Ｆｒが導光光軸Ｌｇ上で対物レンズ３４から導光光学部３０に入射され、その導光光学部３０が導光光軸Ｌｇに一致された検査光軸Ｌｉ上で涙液検査光学部２０に反射光束Ｆｒを進行させ、涙液検査光学部２０により干渉用カメラ２５で反射光束Ｆｒを受光する。干渉用カメラ２５は、受光した反射光束Ｆｒを干渉模様画像Ｉｆとして取得する。このため、測定部１２では、導光光学部３０の対物レンズ３４と第２ハーフミラー３３と調節レンズ３２と反射ミラー３１とを経るとともに、涙液検査光学部２０の第１ハーフミラー２４と撮影絞り２６と取得レンズ２７と経て干渉用カメラ２５に至るまでが、角膜Ｅｃからの反射光束Ｆｒ（干渉模様画像Ｉｆ）を取得する取得光学系（角膜観察光学系）となる。
【００２４】
実施例１の測定部１２では、取得光学系の干渉用カメラ２５において、入射された反射光束ＦｒをＲ（赤）、Ｇ（緑）、Ｂ（青）の各色の光束に分光し、それぞれに対して個別に受光素子を設けて、ＲＧＢの３つの反射光束Ｆｒ（干渉模様画像Ｉｆ）を取得する。これは、反射光束Ｆｒは、様々な色相を有する複雑な干渉像として形成されるので、ＲＧＢの３つの干渉模様画像Ｉｆを用いることで、涙液層の様子をより適切に取得することが可能となり、涙液層の状態の診断をより適切に行うことが可能となることによる。なお、実施例１の涙液検査装置１０では、反射光束ＦｒをＲＧＢの３つの光束に分光して３つの受光素子に受光させるものとしていたが、カラー画像を取得可能な単一の受光素子を用いてＲＧＢの信号を個別に取り扱うものとしてもよく、実施例１の構成に限定されない。
【００２５】
筐体４０には、図２から図４に示すように、収容する涙液検査光学部２０を冷却するための空調機構４５が設けられている。空調機構４５は、少なくとも涙液検査光学部２０における照明用光源２１および干渉用カメラ２５を冷却するために設けられており、通風路４６と送風機４７とを有する。通風路４６は、照明用光源２１の周辺および干渉用カメラ２５の周辺に空気の流れを形成するもので、実施例１では、空気を吸入口４８から吸入して吹出口４９から吹き出させることのできる貫通孔とされている。実施例１では、照明用光源２１の少なくとも一部および干渉用カメラ２５の少なくとも一部が通風路４６内に露出されている。なお、照明用光源２１および干渉用カメラ２５は、照明用光源２１からの照明光束Ｆｉの出射や干渉用カメラ２５での反射光束Ｆｒの受光と、通風路４６内の空気の流れと、を妨げることがなければ、通風路４６内に全体を配置するものでもよく、それぞれに設けられた放熱フィンを通風路４６内に配置するものでもよく、他の構成でもよく、実施例１の構成に限定されない。
【００２６】
送風機４７は、通風路４６内に吸入口４８から吹出口４９へ向かう空気の流れを形成するもので、実施例１では吹出口４９の近傍に設けられている。送風機４７は、制御部１１の制御下で適宜駆動されて、通風路４６内に空気の流れを形成する。これにより、空調機構４５は、照明用光源２１および干渉用カメラ２５を冷却することができる。
【００２７】
この空調機構４５すなわち通風路４６および送風機４７は、実施例１では筐体取付部４２（涙液検査光学部２０）に設けられている。すなわち、通風路４６は、筐体取付部４２の内部のみを通るものとされており、吸入口４８および吹出口４９は、筐体取付部４２の外周面を開口している。そして、通風路４６は、吹出口４９から空気を吹き出す方向が、被検眼Ｅとは反対側となるように設定されている。この被検眼Ｅとは反対側とは、吹き出した空気が被検眼Ｅに向かわないようにするもので、測定部１２（導光光学部３０）の導光光軸Ｌｇに直交する平面よりも後側（測定部１２から見て被検眼Ｅとは反対側）に向けられた方向とする。実施例１では、吹出口４９は、筐体取付部４２の後面４２ａを開口して形成されており、被検眼Ｅとは正反対の方向に空気を吹き出すものとしている。この吹出口４９は、後面４２ａから上下左右の斜め方向に空気を吹き出すものとしてもよい。
【００２８】
なお、吹出口４９は、図４に二点鎖線で示すように、筐体取付部４２の上面４２ｂを開口して設けるものとしてもよい。この場合、上面４２ｂから上方に空気を吹き出しても、その空気の流れが被検眼Ｅに向かう可能性が極めて低いので、吹出口４９は、被検眼Ｅとは反対側であれば略真上に向けて空気を吹き出すものとしてもよく、被検眼Ｅとは正反対の方向に空気を吹き出すものとしてもよい。また、吹出口４９は、同じく図４に二点鎖線で示すように、筐体取付部４２の側面４２ｃを開口して設けるものとしてもよい。ここで、涙液検査装置１０は、壁等の傍に設定されて測定部１２（筐体取付部４２）の側面４２ｃの近傍に壁等が存在される可能性がある。このため、側面４２ｃから側方に空気を吹き出すと、その空気が壁等に当たることで被検眼Ｅに向かう可能性があるので、被検眼Ｅとは正反対に近い方向に空気を吹き出すことが望ましい。この図４に二点鎖線で示す例の吹出口４９では、側面４２ｃにカバー部材４９ａを設けることで、被検眼Ｅとは正反対に近い方向に空気を吹き出すものとしている。なお、図４では、正面視して手前側の側面４２ｃに吹出口４９を設ける様子を示しているが、反対側の側面４２ｃであっても同様である。
【００２９】
吸入口４８は、通風路４６への空気を吸入する箇所であるので、基本的には被検眼Ｅに向けた空気の流れを生じさせることはない。しかしながら、吸入口４８は、空気を吸入することで被検眼Ｅの周辺にも空気の流れを生じさせる虞があるので、対物レンズ３４と離れた位置に設けることが望ましい。実施例１の空調機構４５は、筐体取付部４２に設けられているので、筐体取付部４２の外周面であればいずれの面であっても対物レンズ３４と離れた位置とすることができる。
【００３０】
測定部１２は、制御部１１の制御下で、導光光学部３０における調節レンズ３２の位置や干渉用カメラ２５の焦点距離等を調節することで、照明光束Ｆｉで被検眼Ｅを適切に照射できるとともに反射光束Ｆｒ（干渉模様画像Ｉｆ）を干渉用カメラ２５（その各受光面）で適切に取得できる。実施例１の測定部１２は、干渉用カメラ２５（各受光面）上において、被検眼Ｅの角膜Ｅｃ上の涙液層の最表層となる脂質層の表面からの反射光と、同じく脂質層の裏面（脂質層の下の水層の表面）からの反射光と、がコントラストの良い干渉模様を形成するように、調節レンズ３２の位置や干渉用カメラ２５の焦点距離等が調整される。これにより、干渉用カメラ２５は、脂質層の厚さを示す干渉模様画像Ｉｆを取得することができる。また、実施例１の測定部１２は、干渉用カメラ２５（受光面）上において、涙液層の水層の表面（脂質層の裏面）からの反射光と、同じく水層の裏面（水層の下のムチン層の表面）からの反射光と、がコントラストの良い干渉模様を形成するように、調節レンズ３２の位置や干渉用カメラ２５の焦点距離等が調整される。これにより、干渉用カメラ２５は、水層の厚さを示す干渉模様画像Ｉｆを取得することができる。制御部１１は、干渉用カメラ２５で取得した各干渉模様画像Ｉｆに基づいて、脂質層や水層の厚さ等の涙液層の状態を診断することができる。この診断により、例えば、被検眼Ｅがドライアイであるか否か等を把握することができる。これらの各干渉模様画像Ｉｆの取得やそれに基づく涙液層の状態の診断に関しては、従来と同様であるので、詳細な説明は省略する。
【００３１】
これにより、涙液検査装置１０は、被検眼Ｅの涙液層の状態を診断することができる。このとき、涙液検査装置１０は、検査位置とした被検眼Ｅに対して測定部１２（涙液検査光学部２０、導光光学部３０）を適切な位置関係として、複数の干渉模様画像Ｉｆを取得する。すると、測定部１２では、複数の適切な干渉模様画像Ｉｆを取得するために、照明用光源２１の光量の増加や干渉用カメラ２５での焦点距離の調整等に起因して、照明用光源２１や干渉用カメラ２５が比較的大きな熱を発する。特に、実施例１の干渉用カメラ２５は、ＲＧＢの３つの光束を個別の受光素子で受光する構成であるので、３つの受光素子がそれぞれ発熱することで、より大きな熱となる。ここで、測定部１２では、前眼部カメラ３８が設けられているが、前眼部カメラ３８が単に前眼部像を取得するだけであるので、それほど大きな熱は発しない。このため、涙液検査装置１０では、少なくとも照明用光源２１や干渉用カメラ２５を適切に冷却する必要がある。
【００３２】
涙液検査装置１０は、送風機を用いて照明用光源２１や干渉用カメラ２５に送風することが考えられるが、これにより生じた空気の流れが被検眼Ｅに向かうと涙液層の乾燥を促進してしまい、被検眼Ｅが通常とは異なる涙液層の乾いた状態となり、通常の状態の涙液層の様子を適切に取得することが困難となる虞がある。このことから、涙液検査装置１０は、照明用光源２１および干渉用カメラ２５の周辺を経た空気を、被検眼Ｅとは反対側に吹き出すように空調機構４５を設けている。このため、涙液検査装置１０は、照明用光源２１および干渉用カメラ２５を冷却しつつ、検査位置にある被検眼Ｅへと空気の流れが向かうことを防止することができ、涙液層の乾燥の促進を抑制することができ、通常の状態の涙液層の様子を適切に取得することができる。
【００３３】
特に、実施例１の涙液検査装置１０は、照明用光源２１および干渉用カメラ２５を有する涙液検査光学部２０を、測定部１２の中心位置に関して対物レンズ３４と略線対称（正反対）となる位置関係としており、その涙液検査光学部２０に空調機構４５（通風路４６）を設けている。このため、涙液検査装置１０は、測定部１２において、通風路４６の吹出口４９を対物レンズ３４との距離を大きくしつつ対物レンズ３４とは反対側に向けて空気を吹き出すものとしている。これにより、涙液検査装置１０は、照明用光源２１および干渉用カメラ２５を冷却しつつ、検査位置にある被検眼Ｅの涙液層の乾燥の促進をより効果的に抑制することができ、通常の状態の涙液層の様子をより適切に取得することができる。
【００３４】
本開示に係る涙液検査装置の実施例１の涙液検査装置１０は、以下の各作用効果を得ることができる。
【００３５】
涙液検査装置１０は、空調機構４５を、被検眼Ｅに照明光束Ｆｉを投影する照明用光源２１と、被検眼Ｅで反射された照明光束Ｆｉ（反射光束Ｆｒ）を受光して干渉模様画像Ｉｆを取得する干渉用カメラ２５と、の周辺を経た空気を、被検眼Ｅとは反対側に吹き出すものとしている。このため、涙液検査装置１０は、照明用光源２１および干渉用カメラ２５を冷却しつつ、空調機構４５が吹き出す空気に起因して検査位置にある被検眼Ｅの涙液層の乾燥を促進することを防止することができ、通常の状態の涙液層の様子を適切に取得することができる。
【００３６】
涙液検査装置１０は、空調機構４５が、照明用光源２１および干渉用カメラ２５の周辺を経る通風路４６と、通風路４６内に空気を流す送風機４７と、を有するものとし、通風路４６の吹出口４９が被検眼Ｅとは反対側に向けられている。このため、涙液検査装置１０は、簡単な構成で、空調機構４５が被検眼Ｅとは反対側に吹き出すものとすることができ、涙液層の乾燥を促進することを抑制することができる。
【００３７】
涙液検査装置１０は、被検眼Ｅで反射された照明光束Ｆｉが干渉模様を形成するように、照明光束Ｆｉを照明用光源２１から被検眼Ｅに導くとともに被検眼Ｅで反射された照明光束Ｆｉを干渉用カメラ２５に導く導光光学部３０と、照明用光源２１からの照明光束Ｆｉを検査光軸Ｌｉ上で出射させるとともに被検眼Ｅで反射された照明光束Ｆｉを検査光軸Ｌｉ上で入射させて干渉用カメラ２５に導く涙液検査光学部２０と、を備える。そして、涙液検査装置１０は、涙液検査光学部２０（それを収容する筐体取付部４２）が、検査光軸Ｌｉを導光光路３６の導光光軸Ｌｇと一致させて導光光学部３０（それを収容する筐体本体部４１）に取り付けるとともに導光光学部３０から取り外すことを可能として、通風路４６を涙液検査光学部２０（筐体取付部４２）に設けている。このため、涙液検査装置１０は、空調機構４５が被検眼Ｅとは反対側に空気を吹き出させることができるとともに、涙液検査光学部２０の検査や修理を容易なものとすることができる。加えて、涙液検査装置１０は、涙液検査光学部２０のみを新しいものに交換することができ、使い勝手を向上させつつ交換に要するコストを低減することができる。このとき、涙液検査装置１０は、涙液検査光学部２０を交換すると空調機構４５も併せて交換することができるので、涙液検査光学部２０に対する空調機構４５の配置等が変化することを防止でき、照明用光源２１および干渉用カメラ２５の冷却性能を適切なものにできる。
【００３８】
涙液検査装置１０は、照明用光源２１と干渉用カメラ２５とを、検査位置にある被検眼Ｅよりも上方に設けている。このため、涙液検査装置１０は、照明用光源２１や干渉用カメラ２５が発する比較的大きな熱が、検査位置にある被検眼Ｅの涙液層の乾燥を促進することを抑制でき、通常の状態の涙液層の様子を適切に取得することができる。
【００３９】
したがって、本開示に係る涙液検査装置の一実施例としての涙液検査装置１０では、通常の状態の涙液層の様子を適切に取得することができる。
【００４０】
以上、本開示の涙液検査装置を実施例１に基づき説明してきたが、具体的な構成については実施例１に限られるものではなく、特許請求の範囲の各請求項に係る発明の要旨を逸脱しない限り、設計の変更や追加等は許容される。
【００４１】
例えば、実施例１では、上記した構成の測定部１２を用いている。しかしながら、本開示の測定部は、照明用光源２１からの照明光束Ｆｉを被検眼Ｅに投影し、その被検眼Ｅで反射された照明光束Ｆｉを干渉用カメラ２５で受光して干渉模様画像Ｉｆを取得するものであれば適用することができ、実施例１の構成に限定されない。加えて、測定部１２は、上記したように被検眼Ｅの涙液層の様子を取得できるものであれば、他の構成でもよく、被検眼Ｅの他の検査を行う機能を併せ持つものでもよく、実施例１の構成に限定されない。
【００４２】
また、実施例１では、測定部１２が片眼視の状態で被検眼Ｅの涙液層の様子を取得するものとされている。しかしながら、本開示の涙液検査装置は、測定部１２が対を為して設けられて、両眼視の状態で被検眼Ｅの涙液層の様子を取得するものでもよく、実施例１の構成に限定されない。
【００４３】
さらに、実施例１では、導光光学部３０（それを収容する筐体本体部４１）に対して、涙液検査光学部２０（それを収容する筐体取付部４２）を取り付けることおよび取り外すことを可能としている。しかしながら、導光光学部３０（筐体本体部４１）と涙液検査光学部２０（筐体取付部４２）とは一体的な構成とされていてもよく、実施例１の構成に限定されない。このように構成する際、空調機構４５の吹出口４９は、筐体本体部４１に相当する箇所の外周面に設けることができるが、いずれに設けた場合であっても筐体取付部４２に設ける場合と同様に吹き出す方向を設定すればよい。また、空調機構４５の吸入口４８は、筐体本体部４１に相当する箇所の外周面に設けることができるが、対物レンズ３４が設けられた前面に設ける場合には空気の吸入に伴い被検眼Ｅの周辺での空気の流れの形成を抑制するような構成が望ましい。
【００４４】
実施例１では、空調機構４５を上記した構成としている。しかしながら、空調機構４５は、空気の流れを利用して照明用光源２１および干渉用カメラ２５を冷却するものであれば、通風路４６の形状や送風機４７を設ける位置は適宜設定すればよく、導光光学部３０の調節機構３５や前眼部カメラ３８等を合わせて冷却するものとしてもよく、他の構成でもよく、実施例１の構成に限定されない。
【００４５】
実施例１では、涙液検査光学部２０において干渉用カメラ２５が上述したように干渉模様画像Ｉｆを取得している。しかしながら、干渉用カメラ２５（涙液検査光学部２０）は、干渉光を利用して涙液層の診断を可能とするものであれば、参照光を利用するものでもよく、他の構成でもよく、実施例１の構成に限定されない。ここで、参照光を利用する場合、参照光のための光路を涙液検査光学部２０（その光学系）に設けてもよく、干渉用カメラ２５内に設けてもよく、導光光学部３０に設けてもよい。
【００４６】
実施例１では、制御部１１が干渉用カメラ２５で取得した各干渉模様画像Ｉｆに基づいて涙液層（その状態）を診断するものとしている。しかしながら、干渉用カメラ２５で涙液層の様子を示す干渉模様画像Ｉｆを取得するものであれば、干渉模様画像Ｉｆ（そのデータ等）を出力して外部で診断を行うものでもよく、干渉模様画像Ｉｆを表示して検者等に診断させるものでもよく、実施例１の構成に限定されない。
【符号の説明】
【００４７】
１０  涙液検査装置      ２０  涙液検査光学部      ２１  照明用光源      ２５  干渉用カメラ      ３０  導光光学部      ４５  空調機構      ４６  通風路      ４７  送風機      ４９  吹出口      Ｅ  被検眼      Ｆｉ  照明光束      Ｉｆ  干渉模様画像      Ｌｇ  導光光軸      Ｌｉ  検査光軸
【図１】
2020048933.tif 000003
【図２】
2020048933.tif 000004
【図３】
2020048933.tif 000005
【図４】
2020048933.tif 000006